(57)【要約】【課題】  本発明は、外光の反射を防止でき、高品位な映像を見せることができる映像鑑賞設備を提供する。【解決手段】  本発明の映像鑑賞設備は、自発光型ディスプレイと、前記自発光型ディスプレイの外部に設けられた円偏光光源３と、を有し、前記自発光型ディスプレイは、その視認側から順に、円偏光を直線偏光に変換する機能を有する第１波長板４と、偏光フィルム５と、円偏光を直線偏光に変換する機能を有する第２波長板６と、円偏光分離フィルム７と、自発光パネル８と、を有する。【選択図】  図２
2010262145.tif 000002
【特許請求の範囲】
【請求項１】
自発光型ディスプレイと、前記自発光型ディスプレイの外部に設けられた円偏光光源と、を有し、
前記自発光型ディスプレイは、その視認側から順に、円偏光を直線偏光に変換する機能を有する第１波長板と、偏光フィルムと、円偏光を直線偏光に変換する機能を有する第２波長板と、円偏光分離フィルムと、自発光パネルと、を有することを特徴とする映像鑑賞設備。
【請求項２】
前記第１波長板及び第２波長板がそれぞれλ／４板で構成され、前記偏光フィルムが吸収型偏光フィルムで構成されており、
前記円偏光光源からの円偏光が第１波長板によって直線偏光に変換された後、その直線偏光が前記偏光フィルムに吸収されるように、前記第１波長板が配置されており、
前記円偏光分離フィルムを透過した円偏光が第２波長板によって直線偏光に変換された後、その直線偏光が前記偏光フィルムを透過するように、前記第２波長板が配置されている請求項１に記載の映像鑑賞設備。
【発明の詳細な説明】
【技術分野】
【０００１】
本発明は、自発光型ディスプレイの映像を見るための映像鑑賞設備に関する。
【背景技術】
【０００２】
有機ＥＬディスプレイやプラズマディスプレイのような自発光型ディスプレイは、パネル自らが光を発することによって映像を表示する装置である。しかしながら、自発光型ディスプレイにおいては、外光（外部からパネルへと入射する光）が反射し易いという問題がある。
このような外光の反射を防止するため、図７に示すように、視認側から順に、偏光フィルム５０と、λ／４板６０と、自発光パネル８０と、を有する自発光型ディスプレイが知られている（特許文献１）。
この自発光型ディスプレイにおいては、外光ｋ１のうち、偏光フィルム５０の吸収軸方向Ａに振動する直線偏光（外光ｋ１の約半分）が偏光フィルム５０に吸収され、且つ、前記吸収軸方向Ａと直交する方向に振動する直線偏光ｋ２（外光ｋ１の残り半分）が偏光フィルム５０を透過する。偏光フィルム５０を透過した直線偏光ｋ２は、λ／４板６０によって右回りの円偏光ｋ３（又は左回りの円偏光）に変換される。右回りの円偏光ｋ３（又は左回りの円偏光）は、自発光パネル８０の表面で反射して、左回りの円偏光ｋ４（又は右回りの円偏光）に変わる。この左回りの円偏光ｋ４（又は右回りの円偏光）は、λ／４板６０によって、吸収軸方向Ａに振動する直線偏光ｋ５に変換され、この直線偏光ｋ５は、偏光フィルム５０に吸収される。このような原理で、上記従来の自発光型ディスプレイは、外光の反射を防止する。
【０００３】
しかしながら、従来の自発光型ディスプレイは、自発光パネルが発する表示光の約半分を、偏光フィルムが吸収するので、画面が暗くなるという問題がある。
具体的には、図７に示すように、自発光パネル８０から出射された表示光ｍ１は、λ／４板６０を透過し、偏光フィルム５０へと入射する。偏光フィルム５０は、直交する偏光成分の一方のみを透過させ、直交する偏光成分の他方を吸収する。すなわち、図７に示すように、自然光を直交する２つの成分（直線偏光ｍ２及びｍ３）に分けて表した場合、偏光フィルム５０の透過軸方向に振動する直線偏光ｍ３は、偏光フィルム５０を透過する。しかしながら、吸収軸方向Ａに振動する直線偏光ｍ２は、偏光フィルム５０に吸収されるため、鑑賞者の目に入らない。従って、従来の自発光型ディスプレイは、その画面が暗くなる。さらに、従来の自発光型ディスプレイは、外光の反射防止効果が十分でないため、高品位な映像を鑑賞するためには、室内を暗くする必要もある。
【先行技術文献】
【特許文献】
【０００４】
【特許文献１】特開平９−１２７８８５号
【発明の概要】
【発明が解決しようとする課題】
【０００５】
本発明の目的は、外光の反射を防止でき、高品位な映像を見せることができる映像鑑賞設備を提供することである。
【課題を解決するための手段】
【０００６】
本発明の映像鑑賞設備は、自発光型ディスプレイと、前記自発光型ディスプレイの外部に設けられた円偏光光源と、を有し、前記自発光型ディスプレイは、その視認側から順に、円偏光を直線偏光に変換する機能を有する第１波長板と、偏光フィルムと、円偏光を直線偏光に変換する機能を有する第２波長板と、円偏光分離フィルムと、自発光パネルと、を有する。
【０００７】
本発明の好ましい映像鑑賞設備は、前記第１波長板及び第２波長板がそれぞれλ／４板で構成され、前記偏光フィルムが吸収型偏光フィルムで構成されており、前記円偏光光源からの円偏光が第１波長板によって直線偏光に変換された後、その直線偏光が前記偏光フィルムに吸収されるように、前記第１波長板が配置されており、前記自発光パネルから出射され且つ前記円偏光分離フィルムを透過した円偏光が第２波長板によって直線偏光に変換された後、その直線偏光が前記偏光フィルムを透過するように、前記第２波長板が配置されている。
【発明の効果】
【０００８】
本発明の自発光型ディスプレイは、画面において外光が反射し難いので、優れた黒輝度を有する。さらに、本発明の自発光型ディスプレイは、自発光パネルの表示光が画面から殆ど出射されるので、優れた白輝度を有する。従って、前記自発光型ディスプレイを有する映像鑑賞設備を使用すれば、鑑賞者に高品位な映像を見せることができる。
【図面の簡単な説明】
【０００９】
【図１】本発明の映像鑑賞設備の一実施形態を示す断面を含む構成図。
【図２】本発明の映像鑑賞設備について、外光の吸収及び表示光の透過を概念的に表した参考図。
【図３】本発明の自発光型ディスプレイの第１の構成例、並びに、その構成例における外光の吸収及び表示光の透過を概念的に表した参考斜視図。
【図４】同第２の構成例、並びに、その構成例における外光の吸収及び表示光の透過を概念的に表した参考斜視図。
【図５】同第３の構成例、並びに、その構成例における外光の吸収及び表示光の透過を概念的に表した参考斜視図。
【図６】同第４の構成例、並びに、その構成例における外光の吸収及び表示光の透過を概念的に表した参考斜視図。
【図７】従来の自発光型ディスプレイについて、外光の吸収及び表示光の透過を概念的に表した参考図。
【発明を実施するための形態】
【００１０】
以下、本発明を図面を参照しつつ具体的に説明する。
図１は、本発明の映像鑑賞設備の一実施形態を表す。図１の一部省略断面図は、自発光型ディスプレイの層構成を表す。
図１において、本発明の映像鑑賞設備１は、自発光型ディスプレイ２と、前記自発光型ディスプレイ２の外部に設けられた円偏光光源３と、を有する。前記円偏光光源３は、それから出射する円偏光が自発光型ディスプレイ２の画面（視認面２ａ）を照らすように設けられている。
【００１１】
（円偏光光源について）
前記円偏光光源は、円偏光を出射する光源である。１つの実施形態における円偏光光源は、右回りの円偏光及び左回りの円偏光の双方を出射する光源であって、前記右回りの円偏光又は左回りの円偏光の何れか一方の強度が大きい（この場合、右回りの円偏光の強度が大きいときには、右円偏光を出射する円偏光光源である）。他の実施形態における円偏光光源は、実質的に左回りの円偏光のみ、又は、実質的に右回りの円偏光のみを出射する光源である。
円偏光光源は、それ自身が発光して円偏光を出す光源、或いは、それ自身は発光しないが、通過した光を円偏光に変える機能を有する光源を含む。
ここで、本明細書において、右回りの円偏光は、電界ベクトルの軌跡を光の進行方向から見たときに、その軌跡が右巻きに回転する偏光を意味する。左回りの円偏光は、電界ベクトルの軌跡を光の進行方向から見たときに、その軌跡が左巻きに回転する偏光を意味する。以下、右回りの円偏光を「右円偏光」と記し、左回りの円偏光を「左円偏光」と記し、右円偏光又は／及び左円偏光を単に「円偏光」と記す。
【００１２】
円偏光光源としては、例えば、円偏光二色性発光材料を用いた照明、自然光を発する光源に円偏光分離フィルムが設けられた照明などが挙げられる。この円偏光二色性発光材料としては、例えば、特開２００４−１０７５４２に開示された螺旋構造を有する液晶性共役高分子化合物、及び、特開２００５−９７２４０に開示された希土類錯体などが挙げられる。自然光を発する光源としては、蛍光灯、白熱電球などの一般的な光源が挙げられる。自然光を発する光源に設けられる円偏光分離フィルムは、本発明の自発光型ディスプレイに設けられる円偏光分離フィルムとは別個独立したフィルムである。自然光を発する光源に設けられる円偏光分離フィルムとしては、後述するように、自発光型ディスプレイに設けられる円偏光分離フィルムと同様なフィルムを用いることができる。
また、円偏光光源として、太陽光などの自然光を利用した光源を用いることもできる。例えば、本発明の自発光型ディスプレイが、構造物の室内（例えば、建築物の部屋内；自動車、列車、航空機などの乗り物の室内など）に設置される場合、前記構造物の室内に太陽光などが射し込む窓に、円偏光分離フィルムを設けてもよい。このように自然光が入射し得る窓に円偏光分離フィルムを設けることにより、構造物の室内に設置された自発光型ディスプレイの画面が、円偏光によって照らされる。
なお、自然光とは、光の電界ベクトルが任意の方向に分布しているものを意味する。
【００１３】
（自発光型ディスプレイについて）
図１において、自発光型ディスプレイ２は、その視認側から順に、円偏光を直線偏光に変換する機能を有する第１波長板４と、偏光フィルム５と、円偏光を直線偏光に変換する機能を有する第２波長板６と、円偏光分離フィルム７と、自発光パネル８と、を有する。前記第１波長板４などの各フィルムは、通常、接着剤などを介して、積層接着される。
本明細書において、視認側とは、映像が見える側を意味する。
なお、本発明の自発光型ディスプレイ２は、本発明の効果を損ねない範囲で、他の光学フィルムや部材が設けられていてもよい。
【００１４】
（第１波長板及び第２波長板について）
本発明の第１波長板及び第２波長板は、右円偏光又は左円偏光を直線偏光に変換する機能及び直線偏光を右円偏光又は左円偏光に変換する機能を有するフィルムである。
第１波長板及び第２波長板は、それぞれ単層のフィルムから構成されていてもよいし、或いは、２層以上のフィルムから構成されていてもよい。また、第１波長板及び第２波長板は、それぞれ同一のフィルムでもよいし、或いは、それぞれ異なるフィルムでもよい。
第１波長板及び第２波長板としては、好ましくはλ／４板を用いることができる。λ／４板からなる第１波長板及び第２波長板は、その遅相軸方向の角度を適宜設定することにより、右円偏光又は左円偏光を直線偏光に変換する機能及び直線偏光を右円偏光又は左円偏光に変換する機能を生じる。
なお、本明細書において、遅相軸方向とは、波長板の面内において屈折率が最大となる方向をいう。
【００１５】
前記λ／４板は、可視光領域の少なくとも１つの波長において、面内位相差値が１／４であるフィルムをいう。このλ／４板の面内位相差値は、２３℃、波長５９０ｎｍにおいて、好ましくは１２０ｎｍ〜１６０ｎｍである。
ただし、面内位相差値は、Ｒｅ［λ］＝（ｎｘ−ｎｙ）×ｄで求められる。Ｒｅ［λ］は、２３℃、波長λｎｍにおける面内位相差値を表し、ｎｘは、λ／４板の面内において遅相軸方向の屈折率を表し、ｎｙは、λ／４板の面内において前記遅相軸方向と直交する方向の屈折率を表し、ｄは、λ／４板の厚み（ｎｍ）を表す。
前記λ／４板としては、特に限定されず、例えば、延伸高分子フィルム、液晶性化合物を含むフィルムなどが挙げられる。
【００１６】
（偏光フィルムについて）
本発明の偏光フィルムは、吸収型偏光フィルムである。吸収型偏光フィルムは、入射光を２つの偏光に分離したとき、一方の偏光を透過し、且つ他方の偏光成分を吸収する機能を有する偏光フィルムである。従って、吸収型偏光フィルムは、電界ベクトルの振動方向が特定の面内にある直線偏光を殆ど透過し、一方、前記直線偏光と振動方向が直交する方向の直線偏光を殆ど吸収する。
前記偏光フィルムとしては、特に限定されず、例えば、二色性色素で染色されたポリビニルアルコール系フィルム、二色性色素を配向させた配向フィルムなどが挙げられる。
偏光フィルムは、それ単独で使用してもよいし、或いは、偏光フィルムの両面又は片面に透明保護フィルムを積層した積層体の態様で（この積層体は、一般に偏光板と呼ばれる）使用してもよい。
ここで、本明細書において、偏光フィルムの透過軸方向は、偏光フィルム面に対して垂直な方向から直線偏光が入射した場合に、その透過率が最大となる方向をいい、偏光フィルムの吸収軸方向は、偏光フィルム面に対して垂直な方向から直線偏光が入射した場合に、その透過率が最小となる方向をいう。
【００１７】
（円偏光分離フィルムについて）
本発明の円偏光分離フィルムは、自然光を右円偏光及び左円偏光に２分し、前記右円偏光及び左円偏光の何れか一方を優先的に反射し、前記何れか他方を優先的に透過する機能を有するフィルムである。
例えば、円偏光分離フィルムは、自然光から右円偏光（又は左円偏光）を反射し、且つ自然光から左円偏光（又は右円偏光）を透過する。
円偏光分離フィルムとしては、特に限定されず、例えば、円偏光分離フィルムとして、特開平８−２７１７３１及び特開平９−１３３８１０に開示されているコレステリック液晶層を用いることができる。前記コレステリック液晶層の液晶分子の螺旋配列方向が右回りである場合、この層は、左円偏光を透過し且つ右円偏光を反射する。一方、前記液晶分子の螺旋配列方向が左回りである場合、この層は、右円偏光を透過し且つ左円偏光を反射する。
右円偏光を透過する円偏光分離フィルム又は左円偏光を透過する円偏光分離フィルムのいずれを使用するかについては、円偏光光源、第１波長板及び第２波長板の種類に応じて適宜決定される。
【００１８】
（自発光パネルについて）
本発明の自発光型ディスプレイに組み込まれる自発光パネルは、それ自らが光を発するパネルである。
自発光パネルとしては、特に限定されず、代表的には、有機ＥＬ（エレクトロルミネッセンス）方式、プラズマ方式、ブラウン管方式、フィールドエミッション（ＦＥ）方式などのパネルが挙げられる。
【００１９】
（各部材の配置について）
本発明の自発光型ディスプレイにおいては、円偏光光源からの円偏光が第１波長板によって直線偏光に変換された後、この直線偏光が偏光フィルムに吸収されるように、第１波長板が配置されている。一方、自発光パネルから出射された光であって円偏光分離フィルムを透過した円偏光が第２波長板によって直線偏光に変換された後、この直線偏光が偏光フィルムを透過するように、第２波長板が配置されている。
【００２０】
このように配置された自発光型ディスプレイは、図２に示すように、円偏光光源３からの円偏光ａ１（外光）が、第１波長板４によって、偏光フィルム５の吸収軸方向Ａと平行な振動方向を有する直線偏光ａ２に変換される。この吸収軸方向Ａと平行な直線偏光ａ２は、偏光フィルム５に殆ど吸収される。このため、自発光型ディスプレイの画面を照らす、円偏光光源からの円偏光ａ１が、自発光型ディスプレイの画面において反射することを防止できる。このため、本発明の映像鑑賞設備は、自発光型ディスプレイの黒輝度が低くなる。
一方、自発光パネル８が発する表示光ｂ１（自然光）は、円偏光分離フィルム７によって、左円偏光ｂ２及び右円偏光ｂ３の２つに分離される。そのうちの一方の円偏光ｂ２（例えば、左円偏光）は、円偏光分離フィルム７を透過し、他方の円偏光ｂ３（例えば、右円偏光）は、円偏光分離フィルム７によって反射される。反射した他方の円偏光ｂ３は、自発光パネル８の表面において反射し、左右反転した円偏光ｂ４（例えば、左円偏光）になって再び円偏光分離フィルム７の方向へ進む。前記左右反転した円偏光ｂ４（例えば、左円偏光）は、円偏光分離フィルム７を透過する。従って、自発光パネル８が発する表示光ｂ１のほぼ全てが、円偏光分離フィルム７の上記作用により、同じ回転方向の円偏光ｂ２，ｂ４（例えば、左円偏光）に変わり、第２波長板６へと進む。前記円偏光ｂ２，ｂ４は、第２波長板６によって偏光フィルム５の透過軸方向と平行な振動方向を有する直線偏光ｂ５、ｂ６にそれぞれ変換される（換言すると、偏光フィルム５の吸収軸方向Ａと直交する振動方向を有する直線偏光ｂ５，ｂ６にそれぞれ変換される）。この透過軸方向と平行な直線偏光ｂ５，ｂ６は、それぞれ偏光フィルム５を殆ど透過する。偏光フィルム５を透過した直線偏光ｂ５，ｂ６は、第１波長板４によって円偏光ｂ７，ｂ８に変換された後、自発光型ディスプレイの画面から出射される。このため、自発光パネル８から出射された表示光ｂ１のほぼ全てが、鑑賞者の目に入る。従って、本発明の映像鑑賞設備は、自発光型ディスプレイの白輝度が高く、明るく且つ鮮やかな画像を鑑賞者に見せることができる。
上記のような原理で、本発明の映像鑑賞設備は、外光の反射が殆どなく且つコントラスト比に優れているので、自発光型ディスプレイの周辺環境を暗くしなくても、高品位な映像を鑑賞者に見せることができる。
【００２１】
本発明の映像鑑賞設備において、第１波長板及び第２波長板としてλ／４板を用いた場合のその具体的な配置例は、下記の４つの構成例が挙げられる。
【００２２】
第１の構成例は、円偏光光源からの円偏光が左円偏光である場合に効果的な構成例である。なお、自発光型ディスプレイは、その視認側から、第１波長板４、偏光フィルム５、有する第２波長板６、円偏光分離フィルム７、及び自発光パネル８が、この順で配置されている（第２〜第４の構成例も、同じ）。
第１の構成例においては、図３に示すように、第１波長板４の遅相軸方向Ｓ１と偏光フィルム５の吸収軸方向Ａの成す角αが、視認側から見て反時計回りに４５度±５度となるように、第１波長板４が配置され、且つ、第２波長板６の遅相軸方向Ｓ２と偏光フィルム５の吸収軸方向Ａの成す角βが、視認側から見て反時計回りに１３５度±５度となるように、第２波長板６が配置されている。以下、「第１波長板４の遅相軸方向Ｓ１と偏光フィルム５の吸収軸方向Ａの成す角α」を、単に「角α」と記し、「第２波長板６の遅相軸方向Ｓ２と偏光フィルム５の吸収軸方向Ａの成す角β」を、単に「角β」と記す。
円偏光分離フィルム７としては、例えば、自発光パネル８側（反視認側）からの自然光ｄ１のうち、右円偏光を透過し且つ左円偏光を反射する機能を有する円偏光分離フィルムを用いることができる。
第１の構成例においては、円偏光光源３からの左円偏光ｃ１は、第１波長板４によって吸収軸方向Ａの直線偏光ｃ２に変換された後、そのほとんどが偏光フィルム５に吸収される。
【００２３】
一方、自発光パネル８から出た表示光ｄ１（自然光）のほとんどは、図２で説明した原理に従って、円偏光分離フィルム７によって右円偏光ｄ２に変えられて円偏光分離フィルム７を透過する。この右円偏光ｄ２（すなわち、自発光パネル８から出た表示光）は、第２波長板６によって透過軸方向の直線偏光ｄ３に変換された後、偏光フィルム５を透過し、第１波長板４によって右円偏光ｄ４に変換された後、鑑賞者の目９に入る。
【００２４】
第２の構成例も、円偏光光源からの円偏光が左円偏光である場合に効果的な構成例である。
第２の構成例においては、図４に示すように、角αが視認側から見て反時計回りに４５度±５度となるように、第１波長板４が配置され、且つ、角βが視認側から見て反時計回りに４５度±５度となるように、第２波長板６が配置されている。
円偏光分離フィルム７としては、例えば、自発光パネル８側（反視認側）からの自然光ｆ１のうち、左円偏光を透過し且つ右円偏光を反射する機能を有する円偏光分離フィルムを用いることができる。
第２の構成例においては、円偏光光源３からの左円偏光ｅ１は、第１波長板４によって吸収軸方向Ａの直線偏光ｅ２に変換された後、そのほとんどが偏光フィルム５に吸収される。
【００２５】
一方、自発光パネル８から出た表示光ｆ１のほとんどは、図２で説明した原理に従って、円偏光分離フィルム７によって左円偏光ｆ２に変えられて円偏光分離フィルム７を透過する。この左円偏光ｆ２は、第２波長板６によって透過軸方向の直線偏光ｆ３に変換された後、偏光フィルム５を透過し、第１波長板４によって左円偏光ｆ４に変換された後、鑑賞者の目９に入る。
【００２６】
第３の構成例は、円偏光光源からの円偏光が右円偏光である場合に効果的な構成例である。
第３の構成例においては、図５に示すように、角αが視認側から見て反時計回りに１３５度±５度となるように、第１波長板４が配置され、且つ、角βが視認側から見て反時計回りに１３５度±５度となるように、第２波長板６が配置されている。
円偏光分離フィルム７としては、例えば、自発光パネル８側（反視認側）からの自然光ｈ１のうち、右円偏光を透過し且つ左円偏光を反射する機能を有する円偏光分離フィルムを用いることができる。
第３の構成例においては、円偏光光源３からの右円偏光ｇ１は、第１波長板４によって吸収軸方向Ａの直線偏光ｇ２に変換された後、そのほとんどが偏光フィルム５に吸収される。
【００２７】
一方、自発光パネル８から出た表示光ｈ１のほとんどは、図２で説明した原理に従って、円偏光分離フィルム７によって右円偏光ｈ２に変えられて円偏光分離フィルム７を透過する。この右円偏光ｈ２は、第２波長板６によって透過軸方向の直線偏光ｈ３に変換された後、偏光フィルム５を透過し、第１波長板４によって左円偏光ｈ４に変換された後、鑑賞者の目９に入る。
【００２８】
第４の構成例は、円偏光光源からの円偏光が右円偏光である場合に効果的な構成例である。
第４の構成例においては、図６に示すように、角αが視認側から見て反時計回りに１３５度±５度となるように、第１波長板４が配置され、且つ、角βが視認側から見て反時計回りに４５度±５度となるように、第２波長板６が配置されている。
円偏光分離フィルム７としては、例えば、自発光パネル８側（反視認側）からの自然光ｊ１のうち、左円偏光を透過し且つ右円偏光を反射する機能を有する円偏光分離フィルムを用いることができる。
第４の構成例においては、円偏光光源３からの右円偏光ｉ１は、第１波長板４によって吸収軸方向Ａの直線偏光ｉ２に変換された後、そのほとんどが偏光フィルム５に吸収される。
【００２９】
一方、自発光パネル８から出た表示光ｊ１のほとんどは、図２で説明した原理に従って、円偏光分離フィルム７によって左円偏光ｊ２に変えられて円偏光分離フィルム７を透過する。この左円偏光ｊ２は、第２波長板６によって透過軸方向の直線偏光ｊ３に変換された後、偏光フィルム５を透過し、第１波長板４によって左円偏光ｊ４に変換された後、鑑賞者の目９に入る。
【実施例】
【００３０】
本発明について、実施例及び比較例を示して詳細に説明する。なお、本発明は、下記の実施例のみに限定されるものではない。実施例及び比較例で用いた各測定方法は、以下の通りである。
【００３１】
［面内位相差値の測定方法］
λ／４板の面内位相差値は、位相差測定装置（王子計測機器（株）製、製品名「ＫＯＢＲＡ２１ＡＤＨ」）を用いて、２３℃で測定した。
［黒輝度及び白輝度の測定方法］
自発光型ディスプレイに黒画像及び白画像を表示させたときの黒輝度及び白輝度は、輝度計（（株）トプコン製、製品名「ＢＭ−５」）を用いて、測定距離１ｍ、測定視野１度で測定した。
【００３２】
［実施例］
有機ＥＬディスプレイを搭載した携帯電話（京セラ（株）製、商品名「Ｗ５２Ｋ」）の有機ＥＬパネルの表面に、視認側から順に、第１波長板であるλ／４板（日東電工（株）製、商品名「ＮＺＦ」。波長５９０ｎｍにおける面内位相差値＝１４０ｎｍ）と、偏光板（日東電工（株）製、商品名「ＮＰＦＳＥＧ１２２４ＤＵ」）と、第２波長板であるλ／４板と、コレステリック液晶層からなる円偏光分離フィルムと、を積層することによって、自発光型ディスプレイを作製した。両λ／４板と偏光板は、図３と同じ軸角度で配置した。
なお、第２波長板であるλ／４板と円偏光分離フィルムは、予め積層された積層フィルム（日東電工（株）製、商品名「ＰＣＦ４００」）を使用した。このλ／４板（第２波長板）の波長５９０ｎｍにおける面内位相差値＝１４０ｎｍであった。また、この円偏光分離フィルムは、有機ＥＬパネルからの自然光のうちの右円偏光を透過し且つ左円偏光を反射する。
【００３３】
得られた自発光型ディスプレイの画面（視認面）から視認側に約６０ｃｍ離れた位置に、円偏光光源を配置することにより、実施例の映像鑑賞設備を構成した。
前記円偏光光源としては、蛍光灯を備えるデスクスタンド型照明器具（パナソニック（株）製、商品名「ＬＯＶＥ  ＥＹＥ  ＩＮＶＥＲＴＥＲ」）の蛍光灯部分に、円偏光分離フィルム（日東電工（株）製、商品名「ＰＣＦ４００」からλ／４板を除去することにより得られた円偏光分離フィルム）を貼り付けたものを使用した。
【００３４】
円偏光光源（円偏光分離フィルムを貼り付けた蛍光灯）を点灯させた状態で、実施例の自発光型ディスプレイに黒画像及び白画像を表示させ、各画像の輝度をそれぞれ測定した。その結果を表１に示す。表１のコントラスト比は、白輝度／黒輝度で求められる。
【００３５】
［比較例１］
有機ＥＬディスプレイを搭載した携帯電話（京セラ（株）製、商品名「Ｗ５２Ｋ」）の有機ＥＬパネルの表面に、視認側から順に、偏光板（日東電工（株）製、商品名「ＮＰＦＳＥＧ１２２４ＤＵ」）と、λ／４板（日東電工（株）製、商品名「ＮＺＦ」。波長５９０ｎｍにおける面内位相差値＝１４０ｎｍ）と、を積層することによって、自発光型ディスプレイを作製した。このλ／４板の遅相軸方向と偏光板の吸収軸方向の成す角が、視認側から見て反時計回りに４５度となるように、λ／４板と偏光板を積層した。
得られた自発光型ディスプレイの画面から視認側に約６０ｃｍ離れた位置に、自然光光源を配置することにより、比較例１の映像鑑賞設備を構成した。なお、自然光光源は蛍光灯を備えるデスクスタンド型照明器具（パナソニック（株）製、商品名「ＬＯＶＥ  ＥＹＥ  ＩＮＶＥＲＴＥＲ」）の該蛍光灯を用いた。
自然光光源（蛍光灯）を点灯させた状態で、比較例１の自発光型ディスプレイに黒画像及び白画像を表示させ、各画像の輝度をそれぞれ測定した。その結果を表１に示す。
【００３６】
［比較例２］
比較例１の自発光型ディスプレイから偏光板とλ／４板を取り除いたこと以外（つまり、携帯電話に搭載された有機ＥＬディスプレイに何も積層せずに、この有機ＥＬディスプレイを自発光型ディスプレイとして用いたこと以外）は、比較例１と同様にして映像鑑賞設備を構成した。
この比較例２の映像鑑賞設備について、比較例１と同様にして、各輝度をそれぞれ測定した。その結果を表１に示す。
【００３７】
【表１】
2010262145.tif 000003
【００３８】
［評価］
実施例の映像鑑賞設備は、黒輝度が低く且つ白輝度が高く、それらに応じてコントラスト比にも優れているので、高品位な画像を表示できることが確認された。
一方、比較例１の映像鑑賞設備は、白輝度が低く、このことから画像が暗くなっていることが判る。また、比較例２の映像鑑賞設備は、黒輝度が高く、このことから外光が反射していることが判る。
【産業上の利用可能性】
【００３９】
本発明の映像鑑賞設備は、例えば、一般家庭、映画館、商品展示会場などの建築物、自動車、航空機などの乗り物などにおける、テレビ映像や映画を鑑賞するために用いることができる。
【符号の説明】
【００４０】
１…映像鑑賞設備、２…自発光型ディスプレイ、３…円偏光光源、４…第１波長板、５…偏光フィルム、６…第２波長板、７…円偏光分離フィルム、８…自発光パネル
【図１】
2010262145.tif 000004
【図２】
2010262145.tif 000005
【図３】
2010262145.tif 000006
【図４】
2010262145.tif 000007
【図５】
2010262145.tif 000008
【図６】
2010262145.tif 000009
【図７】
2010262145.tif 000010